(57)【特許請求の範囲】
【請求項１】
貴金属性の接点材料からなるリボン線と、ハウジングケース内周に沿って円弧状に曲げられた板バネとが一端の溶接部で溶着され、チクソ性材料からなるペースト剤が充填されたハウジングケース内周に設けた隙間に対して、前記溶接部近傍にある第２支点部が遊動可能に装着され、かつ前記板バネの他端部は、前記第２支点部からハウジングケース内周の直径方向対向側の第１支点部で変形可能に固定されることにより、前記リボン線は整流子に所定の予圧を設けて接触されると同時に、第２支点部にも予圧がかかるように構成されていることを特徴とする小型モータ用ブラシ。
【請求項２】
請求項１の小型モータ用ブラシにおいて、前記板バネの他端部はハウジングケースの外部に折り曲げられ外部端子を形成していることを特徴とする小型モータ用ブラシ。
【発明の詳細な説明】
【０００１】
【産業上の利用分野】
本発明は、ブラシモータに関するものである。さらに詳しくは、この発明は、振動アラーム装置等に使用される、携帯性にすぐれた耐衝撃性のある小型，軽量かつ製造容易で、耐久性に富んだ小型モータに関するものである。
【０００２】
【従来の技術とその課題】
近年、音による呼出し方式に代えて振動方式によるポケットベル装置が注目されてきており、このための振動を生起させるモータ装置についての改良が進められてきている。
このモータ装置としては、例えば図５に示した中空円筒型コアレスモータ装置が知られている。この装置では、円筒コイル１、円筒コイルの支持体２、この支持体に形成された整流子３、支持体の中心を貫通して支持体に固定された回転軸４からなる回転子を有し、この回転子の回転軸４は、中空円筒状の界磁磁石５内に挿通され、円筒状ハウジングケース６内の一端側に配置された軸受７と、ハウジングケース６の他端側に配置された軸受８とで支承されている。
【０００３】
通常、この構造のコアレスモータ装置においては、回転軸４の先端部には、重心を偏らせた偏心分銅10が装置され、整流子３には、固定子側のブラシ９が接するように構成され、ハウジングケース６がページャ等のケース内のホルダーに固定され、偏心分銅10を回転させることによりこの振動をハウジングケース６を介してページャ本体に伝達して振動ページャとしての機能が発揮されている。
【０００４】
このような小型ブラシモータのブラシ装置としては、図３に示すようにブラシホルダー33に固定された接点材を兼ねたストレートなバネ状リボン線31が使用されていた。しかしながら、モータがより小型になるとバネの有効長が足りなくなり所定の予圧をかけて整流子３に接触させることができなかった。
【０００５】
そこで、図４に示すようにリボン線をＵ字状に曲げたＵ曲リボン線41を使用していた。しかしながら、さらにモータの小型化小径化されると、図４に示す形状においてもバネの有効長が不足して来るため、安定なバネ圧を得ることができなかった。
【０００６】
この発明は、以上の通りの事情に鑑みてなされたものであって、従来装置の欠点を改善し、極小径であっても安定したバネ圧が得られる小型モータ用ブラシを提供することを目的としている。
【０００７】
【課題を解決するための手段】
本発明は前記従来技術の課題を解決する為になされたもので、実施例に対応する図１、図２で説明すると、本発明の請求項１記載の小型モータ溶ブラシは、貴金属性の接点材料からなるリボン線と、ハウジングケース内周に沿って円弧状に曲げられた板バネとが一端の溶接部で溶着され、チクソ性材料からなるペースト剤が充填されたハウジングケース内周に設けた隙間に対して、前記溶接部近傍にある第２支点部が遊動可能に装着され、かつ前記板バネの他端部は、前記第２支点部からハウジングケース内周の直径方向対向側の第１支点部で変形可能に固定されることにより、前記リボン線は整流子に所定の予圧を設けて接触されると同時に、第２支点部にも予圧がかかるように構成したものである。
【０００８】
また、本発明の小型モータ用ブラシにおいては、前記リボン線11と板バネ12とが溶着された溶接部14を、チクソ性材料Ｇからなるペースト剤が充填されたハウジングケース内周に設けた隙間に対して、遊動可能に装着したものである。
【０００９】
また、本発明の請求項２記載の小型モータ用ブラシにおいては、前記板バネ12の他端部はハウジングケース６の外部に折り曲げられ外部端子17を形成したものである。
【００１０】
【作用】
本発明の請求項１による小型モータ用ブラシにおいては、上記のとおり貴金属性の接点材料からなるリボン線11と外周方向に円弧状に曲げられた板バネ12とが一端部の溶接部14で溶着されハウジングケース６に第１支点と第２支点部15で変形可能に装着されているので、整流子３に組み込む時、第２支点15と第１支点16でひろげられるので、バネの有効長が十分とれ、バネ圧の安定が得られる。
【００１１】
また、本発明の請求項１記載の小型モータ用ブラシにおいては、前記リボン線11と板バネ12とが溶着された溶接部14がチクソ性材料Ｇからなるペースト剤で充填されているので、ブラシの振動を吸収でき、ノイズの発生を抑えることができる。
【００１２】
また、本発明の請求項２記載の小型モータ用ブラシにおいては、前記板バネ12の他端部はハウジングケース６の外部に折り曲げられ外部端子17を形成したので、端子の構造を簡単に低コストで製造できる。
【００１３】
【実施例１】
以下、本発明の第１の実施例について、図面を参照して説明する。図１は本発明の実施例を示す小型モータ用ブラシの構成を示す断面図である。
【００１４】
本発明の第１実施例による小型モータ用ブラシは、図１に示すように、ブラシは貴金属等の接点材料からなるリボン線11と板バネ12から構成され、板バネ12は長さをかせぐため円弧状に湾曲している。リボン線11と板バネ12の溶接部14は、整流子３への組込で広げられる時、第２の支点15で接する。
【００１５】
また、溶接部14は、ハウジングケース６に設けられた隙間にグリス状のチクソ性材料Ｇを充填することによって、このペースト剤に接して被われるので、ブラシの振動を吸収できる。さらに、板バネ12は外部に折り曲げられて外部端子17が形成されている。
【００１６】
本発明の第１の実施例に於いては、従来の改良方式である図４のＵ曲リボン線に比較して、たわみ量を約２倍に増やすことができ、有効なバネの長さが２倍になった。また、ブラシのヒビリに関しても第２の支点15を設けることと、チクソ性材料Ｇを第２の支点で15に充填することで、なくすことができた。さらに、ブラシ用バネを接点材と板バネに分けて、高価な貴金属接点材料を少なくすることができたので、コスト低減が可能となった。
【００１７】
【実施例２】
以下、本発明の第２の実施例について、図面を参照して説明する。図２は本発明のだい２の実施例を示す小型モータ用ブラシの構成を示す断面図である。
【００１８】
本発明の第２実施例による小型モータ用ブラシは、図２に示すように、ブラシは貴金属等の接点材料からなるリボン線21と板バネ22とブラシホルダ23から構成され、板バネ12は実施例１と同様長さをかせぐため円弧状に湾曲している。板バネ22の一端はリボン線21と溶接され、他端はブラシホルダ23に溶接固定されている。実施例１と同様にリボン線21と板バネ12の溶接部14は、整流子３への組込で広げられる時、第２の支点25で接する。
【００１９】
また、溶接部24は、ハウジングケース６に設けられた隙間にグリス状のチクソ性材料Ｇを充填することによってこのペースト剤で被われるので、ブラシの振動を吸収できる。
【００２０】
本発明の第２の実施例に於いても、従来の改良方式である図４のＵ曲リボン線に比較して、たわみ量を約２倍に増やすことができ、有効なバネの長さが２倍になった。また、ブラシのヒビリに関しても第２の支点25を設けることと、チクソ性材料Ｇを第２の支点で25に充填することでなくすことができた。さらに、ブラシ用バネを接点材と板バネに分けて、高価な貴金属接点材料を少なくすることができたので、コスト低減が可能となった。
【００２１】
【発明の効果】
以上詳しく説明した通り、この本発明によって、極小径であってもブラシのバネ圧が十分とれ、安定したバネ圧が得られるとともに高価な貴金属部材のリボン線は少量ですむため製造原価の安い易いノイズの少ないブラシ装置を提供できる。
【図面の簡単な説明】
【図１】本発明の第１の実施例を示す小型モータ用ブラシの構成を示す断面図。
【図２】本発明の第２の実施例を示す小型モータ用ブラシの構成を示す断面図。
【図３】従来のブラシ装置の構成を示す断面図。
【図４】従来の小型モータ用ブラシ装置の構成を示す断面図。
【図５】従来の円筒コアレス振動モータの構成を示す断面図。
【符号の説明】
１  円筒コイル
２  コイル支持体
３  整流子
４  回転軸
５  界磁磁石
６  ハウジングケース
７  軸受
９  ブラシ
10  分銅
11，21,31,41  リボン線
12，22  板バネ
14，24  溶接部
15，25  第２支点
16，26  第１支点
17  外部端子
Ｇ  チクソ性材料
【図１】
0003815632.tif 000002
【図２】
0003815632.tif 000003
【図３】
0003815632.tif 000004
【図４】
0003815632.tif 000005
【図５】
0003815632.tif 000006